(57)【要約】【課題】本発明は、カセッテの挿脱が簡単に行えるＸ線撮影台を得ることを目的とする。【解決手段】Ｘ線に感光するフィルムを収納したカセッテを内部に装着・取り出し自在な箱状体のＸ線写真撮影装置（３）を構成する左右側壁にそれぞれカセッテ挿・脱用のスリット（７Ｌ、７Ｒ）を形成したことを特徴とする。このため、本願発明は、Ｘ線写真撮影装置の両側にカセッテを挿入するスリットを形成してあるので、一方のスリット側にカセッテの挿脱の障害物があっても、他方側のスリットからカセッテを挿脱出来るので、従来のようにカセッテの挿脱が自由にできない場合のように、Ｘ線撮影台の配置方向を変えたり、設置位置を移動させるような不都合は生ぜず、Ｘ線撮影室の内部を有効に使用することが出来る。【選択図】図４
2005148398.tif 000002
【特許請求の範囲】
【請求項１】
Ｘ線に感光するフィルムを収納したカセッテを内部に装着・取り出し自在な箱状体のＸ線写真撮影装置を構成する左右側壁にそれぞれカセッテ挿・脱用のスリットを形成したことを特徴とするカセッテの装着が簡単なＸ線写真撮影装置。
【請求項２】
上記Ｘ線写真撮影装置を立設した柱に装着したことを特徴とする請求項１に記載のカセッテの装着が簡単なＸ線写真撮影装置。
【請求項３】
上記Ｘ線写真撮影装置は、柱上で上下に移動自在であることを特徴とする請求項２に記載のカセッテの装着が簡単なＸ線写真撮影装置。
【請求項４】
上記Ｘ線写真撮影装置を被撮影者を仰臥させる撮影台に沿わせて装着したことを特徴とする請求項１に記載のカセッテの装着が簡単なＸ線写真撮影装置。
【請求項５】
上記スリット近傍にカセッテの通過を検知するカセッテ挿入方向検知手段を設けたことを特徴とする請求項１に記載のカセッテの装着が簡単なＸ線写真撮影装置。
【発明の詳細な説明】
【技術分野】
【０００１】
本発明は、Ｘ線写真撮影装置に関し、特に撮影台へのカセッテの挿脱が極めて簡単に行えるＸ線写真撮影装置に関する。
【背景技術】
【０００２】
Ｘ線撮影装置は、人体の内部を撮影するときに使用される。例えば、Ｘ線写真撮影装を用いて、人体の胸部を撮影する場合、撮影する人体が直立している前にＸ線フィルムを装着したカセッテを装着配置し、人体の背後からＸ線を照射し、人体を透過したＸ線をフィルムに感光させて人体内部の映像を得る。
従来のＸ線撮影台は、立設した柱に上下動できるＸ線写真撮影装置を設けて、該Ｘ線写真撮影装置の前に被写体である人体を立たせ、Ｘ線写真撮影装置の位置を人体の胸部にの横に開けてあるスリットからカセッテを挿入し、フィルムに人体の映像を撮影した後、カセッテを引き抜き、一人の撮影を終了する。その後、新たな人体の撮影を行う場合には、前記のような一連の撮影操作を繰り返す。
【０００３】
上述のような従来の撮影方法は、被写体が変わるたびにＸ線写真撮影装置の横に設けたスリットへカセッテを挿脱しなければならず、例えば、Ｘ線撮影台が壁に沿って配置されているような場合で、スリットが壁側を向いているような場合は、カセッテをＸ線撮影装置に装着できない場合が殆どであるので、Ｘ線撮影台の向きを変えたり、設置場所を変えたりして人体を撮影する。
【特許文献１】特開２００３−３１０５９１号公報
【特許文献２】特開２０００−２７１１１５号公報
【発明の開示】
【発明が解決しようとする課題】
【０００４】
解決しようとする問題点は、上述のように、カセッテの挿脱時にもたらす困難を排除することにある。
【課題を解決するための手段】
【０００５】
本願の請求項１に記載の発明は、Ｘ線に感光するフィルムを収納したカセッテを内部に装着・取り出し自在な箱状体のＸ線写真撮影装置を構成する左右側壁にそれぞれカセッテ挿・脱用のスリットを形成したことを特徴とする。
本願の請求項２に記載の発明は、請求項１に記載の発明に加えて、上記Ｘ線写真撮影装置を立設した柱に装着したことを特徴とする。
本願の請求項３に記載の発明は、請求項２に記載の発明に加えて、上記Ｘ線写真撮影装置は、柱上で上下に移動自在であることを特徴とする。
本願の請求項４に記載の発明は、請求項１に記載の発明に加えて、上記Ｘ線写真撮影装置を被撮影者を仰臥させる撮影台に沿わせて装着したことを特徴とする。
本願の請求項５に記載の発明は、請求項１に記載の発明に加えて、上記スリット近傍にカセッテの通過を検知するカセッテ挿入方向検知手段を設けたことを特徴とする。
【発明の効果】
【０００６】
本願発明は、Ｘ線写真撮影装置の両側にカセッテを挿入するスリットを形成してあるので、一方のスリット側にカセッテの挿脱の障害物があっても、他方側のスリットからカセッテを挿脱出来るので、従来のようにカセッテの挿脱が自由にできない場合のように、Ｘ線撮影台の配置方向を変えたり、設置位置を移動させるような不都合は生ぜず、Ｘ線撮影室の内部を有効に使用することが出来る。
【発明を実施するための最良の形態】
【０００７】
Ｘ線撮影台に取りつけたＸ線写真撮影装置の両側にカセッテを挿入するスリットを形成して使用勝手の良いＸ線撮影台を実現した。
【実施例１】
【０００８】
次に本発明の一実施例を図面を用いて詳細に説明する。
図１は、直立した人体の胸部を撮影するＸ線撮影台の正面図であり、図において、１は、床面２の上にボルト６で固定された柱である。柱１には、カセッテ４を装着するＸ線撮影装置３が上下に移動自在に配置されている。Ｘ線撮影装置３は、図２に示すように、柱１に摺動自在で、所望の位置に固定停止できる摺動台５に取りつけられている。
【０００９】
図３は、Ｘ線撮影装置３を上部から見た部分平面図である。Ｘ線撮影装置３は、箱状体であり、以下の構造を有して、内部にＸ線フィルムを収納したカセッテを挿脱自在に収容する。Ｘ線撮影装置３の左右側壁には、カセッテ４を挿入するための左スリット７Ｌと右スリット７Ｒが設けられている。図４に示すように、Ｘ線撮影装置３の底部８にはカセッテ駆動台９が固定されている。カセッテ駆動台９の上部には、カセッテ装着部１０が設けられている。カセッテ駆動台９の上面には、カセッテ装着部１０を上下左右方向に移動させる２本の駆動棒１１が突出しており、これら２本の駆動棒１１がカセッテ装着部１０を上下左右方向に移動させる。
【００１０】
カセッテ駆動台９の中央からは、カセッテ排出棒１２が突出している。この棒１２は、カセッテ装着部１０を貫通して延びており、その先端にはゴム等カセッテの先端と接触した時、これを上方にはじき出すと共に、これを左右何れかの方向に移動させる働きをする。左スリット７Ｌと右スリット７Ｒの上端には、それぞれカセッテ挿入方向検知スイッチ１３，１４が設けられており、カセッテ４が左右何れの方向からスリット内に挿入されたかを検知する。１５は、カセッテ４の前面に配置され、フィルムに撮影される像の解像度を向上させるグリッドであり、図には示されていないがフィルム撮影時に、カセッテ駆動台９に設けられた加震器により振動される。
【００１１】
図には示されていないが、Ｘ線撮影台には、制御器や操作釦を含む操作函がオプションにより例えば、Ｘ線撮影装置３の裏側等使用者の好むところに設けられている。そして、撮影を開始する際、図４に示すように、Ｘ線撮影装置３の左側のスリット７Ｌ側からカセッテ４を挿入すると、これをカセッテ挿入方向検知スイッチ１３が検知し、操作函内に設けられている記憶装置に、カセッテが左方向から挿入されたことを記憶しておく。スリット７Ｌから挿入されたカセッテ４は、カセッテ装着部１０に滑り込み、固定される。これを、カセッテ装着部１０に設けられているリミットスイッチが検知すると、カセッテ装着終了信号が発せられ、加震器が動作してグリッドが振動し始める。レントゲン技師がこれを確認すると、Ｘ線撮影装置３の前に立っている被撮影者に向かってＸ線を放射して、人体の透写映像をフィルム上に撮影する。なお、本発明において、撮影前に、カセッテの基準となる下縁、左右縁、上縁を基準位置に合わせる（カセッテ駆動台９を駆動してカセッテ装着部１０を上下左右に移動させる）こともできる。
【００１２】
撮影が終了すると、レントゲン技師は、被撮影者をＸ線撮影台か立ち退かせると共に、操作函に設けられているカセッテ排出釦を押圧する。この時、記憶装置の中に記憶されているカセッテ挿入方向が読み出され、カセッテ駆動棒１１が上昇して撮影済みのカセッテ４を持ち上げると共に、カセッテ排出棒１２も上昇するとともに、記憶されているカセッテ４の挿入方向にしたがって、大きく傾斜し、カセッテ４の下縁を左方向に移動させて、挿入された方向にカセッテ４を排出する。次の被撮影者が続く時には、上記のような一連の撮影動作が繰り返される。
【実施例２】
【００１３】
次に本発明の第２実施例を説明する。この実施例は、被撮影者を撮影台２０上に仰臥させた状態で撮影するものであり、２１は基台、２２は、撮影台２０を上下させる駆動装置である。３は、撮影台２０の下面に取りつけられたＸ線撮影装置であり、ほぼ第１実施例のものと同様なものであり、撮影台２０の左右方向にカセッテ４を挿入できるスリットが設けられている。操作函は、通常撮影台２０の側縁に取りつけられる。そして、カセッテ４は、撮影台の何れの側縁方向からもＸ線撮影装置３に挿入することが出来る。撮影動作は、上記第１実施例と同様に行われることとなる。ただ、Ｘ線撮影装置３は、撮影台２０の下面に水平に取り付けられているので、カセッテ挿脱時にカセッテの出し入れを補助する例えばバネ装置のような補助力を必要とする。
【００１４】
以上、本発明を上述の実施の形態により説明したが、本発明の主旨の範囲内で種々の変形や応用が可能であり、これらの変形や応用を本発明の範囲から排除するものではない。
【産業上の利用可能性】
【００１５】
カセッテをＸ線撮影装置の両側から挿脱出来るので、狭小なＸ線撮影室に設置して装置を床面に固定してしまっても、使用が可能である。したがって、第２実施例のように患者仰臥型の大型Ｘ線撮影台日本発明を適用すれば、その発揮する効果は大きい。また、柱上を上下動するＸ線撮影装置から取っ手を延ばし、被撮影者を撮影するとき、被撮影者にこの取っ手につかまらせて、身体の位置を安定させたり、操作のアシストを行う音声ガイドを設けるようなこともできる。
【図面の簡単な説明】
【００１６】
【図１】図１は、本発明の第１実施例の正面図である。
【図２】図２は、本発明の第１実施例の平面図である。
【図３】図３は、Ｘ線撮影装置の断面図である。
【図４】図４は、Ｘ線撮影装置の正面図である。
【図５】図５は、本発明の第２実施例の斜視図である。
【符号の説明】
【００１７】
１・・・・・柱
２・・・・・床面
３・・・・・Ｘ線撮影装置
４・・・・・カセッテ
５・・・・・摺動台
６・・・・・ボルト
７Ｌ・・・・左スリット
７Ｒ・・・・右スリット
８・・・・・底部
９・・・・・カセッテ駆動台
１０・・・・・カセッテ装着部
１１・・・・・カセッテ駆動棒
１２・・・・・カセッテ排出棒
１３・・・・・カセッテ挿入方向検知装置
１４・・・・・カセッテ挿入方向検知装置
１５・・・・・グリッド
２０・・・・・撮影台
【図１】
2005148398.tif 000003
【図２】
2005148398.tif 000004
【図３】
2005148398.tif 000005
【図４】
2005148398.tif 000006
【図５】
2005148398.tif 000007